(57)【特許請求の範囲】
【請求項１】
Ｔ字状ハンドルと棒状ハンドルとを備えたマッサージ機において、
前記Ｔ字状ハンドルは本体に固定すると共に、前記Ｔ字状ハンドルに対向した前記棒状ハンドルは、棒状取手部と二股部とを備え、前記二股部の両先端を前記本体に揺動可能に支持すると共に、前記二股部の一方に形成した歯部と前記本体側に形成した歯部とを噛合させて、揺動位置を調整可能に支持し、かつ、前記棒状ハンドルの前記棒状取手部に電源コードをその軸方向に貫通させると共に、前記二股部の間から引き出し、引き出された前記電源コードがまっすぐに挿着される溝を前記本体に前記本体の側面に開口して形成し、前記溝を介して前記本体内に前記電源コードを挿入したことを特徴とするマッサージ機。
【請求項２】
前記Ｔ字状ハンドルに操作スイッチを設けたことを特徴とする請求項１記載のマッサージ機。
【発明の詳細な説明】
【０００１】
【産業上の利用分野】
本発明は、Ｔ字状ハンドルと棒状ハンドルとを備えたマッサージ機に関するものである。
【０００２】
【従来の技術】
従来より、実公昭５１−２４１５２号公報にあるように、中央部を僅かに窪ませたパッドが取り付けられた振動板を弾性を有する支持柱により本体に支持し、本体内に設けられたモータの回転軸に装着した偏心軸を振動板に回転可能に挿入する。そして、本体にＴ字状ハンドルと棒状ハンドルとを一体に設け、Ｔ字状ハンドルと棒状ハンドルとを両手で支え、腰等の施術部に当てたパッドをモータの回転に応じて振動させて、マッサージを施すように構成したマッサージ機が知られている。
【０００３】
【発明が解決しようとする課題】
こうした従来のものでは、第３者が両手でＴ字状ハンドルと棒状ハンドルとを持って、使用者の施術部に当てて使用したり、あるいは、平坦な床や椅子の背当てに立てかけて使用したりすることができる。しかし、使用者自身が手に持って、使用者自身の施術部に当ててマッサージを施すには、ハンドルが持ち難いという問題があった。
【０００４】
そこで本発明は上記の課題を解決することを目的とし、使用者でも自分自身でマッサージを施すことが容易にできるようにしたマッサージ機を提供することにある。
【０００５】
【課題を解決するための手段】
かかる目的を達成すべく、本発明は課題を解決するための手段として次の構成を取った。即ち、
Ｔ字状ハンドルと棒状ハンドルとを備えたマッサージ機において、
前記Ｔ字状ハンドルは本体に固定すると共に、前記Ｔ字状ハンドルに対向した前記棒状ハンドルは、棒状取手部と二股部とを備え、前記二股部の両先端を前記本体に揺動可能に支持すると共に、前記二股部の一方に形成した歯部と前記本体側に形成した歯部とを噛合させて、揺動位置を調整可能に支持する。
【０００６】
かつ、前記棒状ハンドルの前記棒状取手部に電源コードをその軸方向に貫通させると共に、前記二股部の間から引き出し、引き出された前記電源コードがまっすぐに挿着される溝を前記本体に前記本体の側面に開口して形成し、前記溝を介して前記本体内に前記電源コードを挿入したことを特徴とするマッサージ機の構成がそれである。
【０００７】
あるいは、前記Ｔ字状ハンドルに操作スイッチを設けた構成としてもよい。
【０００８】
【作用】
前記構成を有するマッサージ機は、使用者が自身にマッサージを施しやすいように、棒状ハンドルを揺動させて、揺動位置を調整し、使用者自身が棒状ハンドルを持ってマッサージを施すことができる。また、二股部の歯部と本体の歯部とを噛合させて調整可能としたので、調整を細かくすることができる。
【０００９】
更に、電源コードを棒状取手部に貫通させ、電源コードがまっすぐに挿着される溝を介して電源コードを本体内に挿入したので、棒状ハンドルを揺動可能としても、電源コードが邪魔になったりすることがない。Ｔ字状ハンドルに操作スイッチを設けたものでは、Ｔ字状ハンドルを持った際に、操作スイッチの操作がしやすくなる。
【００１０】
【実施例】
以下本発明の実施例を図面に基づいて詳細に説明する。
図２に示すように、１は振動板で、振動板１は支持部材２に取り付けられており、支持部材２は、振動板１が取り付けられた取付部４と、取付部４から円筒状の本体ケース６側に延出された円筒部８とを備えている。円筒部８の外周には、スポンジ等の弾性体９、重り１１が取り付けられている。
【００１１】
また、取付部４は、複数の弾性支柱１０により本体ケース６に支持されており、本体ケース６に内装されたモータ１２の回転軸１４は、本体ケース６から取付部４に向かって突き出されている。回転軸１４には、スペーサ１５、バランスウエイト１６が取り付けられた冷却ファン１８が挿着されると共に、偏心軸２０が螺着されている。
【００１２】
偏心軸２０の先端は、取付部４にホルダー２２を介して装着されたベアリング２４に挿入されており、偏心軸２０により、回転軸１４の中心とベアリング２４の回転中心とが所定の偏心量で偏心されて構成されている。また、偏心方向は、前記バランスウエイト１６と反対方向となるように形成されている。
【００１３】
一方、振動板１の表側には、先端が球状に形成され振動板１に取り付けた根元が少し細くされた複数の、本実施例では４個の球状突部３６，３８（一部のみ図示する。）が形成されている。そして、各球状突部３６，３８は、それぞれ弾性施療子４０〜４３の柱部４４〜４６（一部のみ図示する。）に形成された係合孔４８，５０（一部のみ図示する）に挿入されている。係合孔４８，５０は、球状突部３６，３８に応じた形状に形成されており、柱部４４〜４６が弾性変形して、各球状突部３６，３８から弾性施療子４０〜４３を取り外したり、取り付けたりできるように、着脱可能に形成されている。
【００１４】
また、柱部４４，４６の先端には、径方向に広がった触部５２〜５５が一体的に形成されており、本実施例では、触部５２〜５５は、外側に向かって開かれ、ほぼ椀状に湾曲されて形成されている。しかも、触部５２〜５５は、その先端に向かって徐々にその厚さが薄くなるように形成されており、更に、触部５２〜５５には、それぞれ貫通孔５６〜５９が穿設されている。
【００１５】
弾性施療子４０〜４３は、柱部４４，４６と触部５２〜５５とが一体に、ゴムや合成樹脂等の弾性を有する素材で形成されている。尚、本実施例では、触部５２〜５５は、椀状に形成されているが、これに限らず、平板状であっても、あるいは外側に向かって突き出た笠状であっても実施可能である。
【００１６】
更に、各弾性施療子４０〜４３は、例えば、屈曲させた膝の関節や屈曲させた肘の関節、あるいは、肩の関節等の凸状に突き出る施術部６０を当てた際に、弾性施療子４０〜４３が弾性変形して、各触部５２〜５５が施術部６０の形状に倣って変形して、施術部６０を被覆する間隔に各弾性施療子４０〜４３及び球状突部３６，３８が配置されている。あるいは、このような弾性施療子４０〜４３，球状突部３６，３８を設けることなく、振動板１の表面にスポンジ等からなる弾性パッドを取り付けてもよい。
【００１７】
一方、本体ケース６には、振動板１と反対の裏面側に、Ｔ字状ハンドル６２が本体ケース６の裏面側とほぼ平坦となるように一体的に形成されている。また、このＴ字状ハンドル６２に対向して棒状ハンドル６４が設けられている。棒状ハンドル６４は、図１に示すように、棒状取手部６６とこの棒状取手部６６に連接して円弧状に二つに分かれた二股部６８とを備えている。二股部６８の一方の先端には、二股部６８の円弧の中心に向かって突出された軸部７０が形成されており、二股部６８の他方の先端には、この軸部７０と同軸上に貫通孔７２が形成されている。
【００１８】
そして、本体ケース６の側面には、軸部７０に対応して、軸部７０を挿入可能な軸受け部材７４が取り付けられており、この軸受け部材７４に弾性リング７６が嵌着された軸部７０が揺動可能に挿入されている。また、軸受け部材７４に対応して、本体ケース６の側面に、軸部７８と鍔部８０とを有する軸部材８２がその軸部７８を棒状ハンドル６４の軸部７０と同軸上となるように、鍔部８０を介して取り付けられてる。
【００１９】
軸部７８は、棒状ハンドル６４の貫通孔７２に揺動可能に挿入されると共に、鍔部８０に軸部７８を中心として形成された多数の山形の凹凸からなる歯部８４と、二股部６８に貫通孔７２を中心として形成された多数の山形の凹凸からなる歯部８６とが噛合されている。そして、軸部７８には波ワッシャ８８を間に挟んだ１組の座金９０，９２が挿入され、更に、軸部７８には、つまみ９４が螺入されている。
【００２０】
一方、図２に示すように、棒状取手部６６には、その軸方向の端部から電源コード９６が挿入されており、電源コード９６は棒状取手部６６を貫通して、二股部６８の間から外部に引き出されている。そして、本体ケース６の裏面側には、この引き出された電源コード９６に対応して、溝９８が形成されている。溝９８は、棒状ハンドル６４をＴ字状ハンドル６２と同様に水平にした状態のときに、二股部６８の間から引き出された電源コード９６がそのまままっすぐに溝９８に挿着されるように、本体ケース６の側面にも開口して形成されている。
【００２１】
そして、電源コード９６は、溝９８ではまっすぐな状態で挿着されており、溝９８内から本体ケース６内にまっすぐに引き込まれている。溝９８内の電源コード９６には、保護部材１００が被着されており、また、本体ケース６内に引き込まれた電源コード９６の先端は、Ｔ字状ハンドル６２内を通り、Ｔ字状ハンドル６２内に配置された操作スイッチ１０２に接続され、つまみ１０４を操作して、操作スイッチ１０２を入・切できるように構成されている。
【００２２】
次に、前述したマッサージ機の作動について説明する。
まず、図４に示すように、施術部６０を各弾性施療子４０〜４３の中央で、各触部５２〜５５に当たるようにして押し付ける。これにより、各弾性施療子４０〜４３が弾性変形して、各触部５２〜５５が施術部６０の形状に倣って変形し、施術部６０を被覆する。尚、各触部５２〜５４が施術部６０に密着しても、貫通孔５６〜５９により、各触部５２〜５５が吸盤として作用するのを防ぐ。
【００２３】
各触部５２〜５５は、椀状に湾曲しているので、先端ほどその弾性変形量が大きく、先端に接触している施術部６０でも大きな押圧力が確保される。しかも、各触部５２〜５５の先端に向かってその厚さが薄く形成されているので、触部５２〜５５が当たっている施術部６０をその全体にわたってほぼ同じ強さの押圧力で押す。
【００２４】
モータ１２を回転駆動させると、回転軸１４の回転と共に偏心軸２０が回転し、ベアリング２４を介して支持部材２が偏心軸２０の偏心量に応じて振動する。この支持部材２と共に振動板１も振動し、球状突部３６，３８を介して各弾性施療子４０〜４３が振動する。
【００２５】
よって、各触部５２〜５５の振動により、膝や肘、あるいは肩の関節等の施術部６０であっても、容易にマッサージを施すことができる。一方、球状突部３６，３８から各弾性施療子４０〜４３を取り外し、球状突部３６，３８を施術部に当てて、振動板１を振動させることにより、指圧を施すことができる。尚、振動板１に弾性パッドを取り付けたものは、腰等の施術部に当てて同様にマッサージを施すことができる。
【００２６】
使用者以外の第３者にマッサージを施してもらうときには、つまみ９４を回転させて緩め、両歯部８４，８６の噛合を解除させる。そして、棒状ハンドル６４を両軸部７０，７８を中心として揺動させ、図１に示すように、Ｔ字状ハンドル６２と棒状ハンドル６４とが同一平面上になるように、棒状ハンドル６４の揺動位置を調整する。
【００２７】
そして、つまみ９４を回転させて締め付け、両歯部８４，８６を噛合させて、棒状ハンドル６４の揺動を規制する。歯部８４，８６は、多数の山により細かくその揺動位置を調整できる。第３者は、両手でそれぞれＴ字状ハンドル６２と棒状ハンドル６４とを持って、弾性施療子４０〜４３を使用者の施術部６０に当てる。このとき、Ｔ字状ハンドル６２を持った手の指でつまみ１０４を操作して操作スイッチ１０２を容易に操作できる。
【００２８】
一方、使用者が自分自身でマッサージを施したいときには、つまみ９４を回転させて緩め、両歯部８４，８６の噛合を解除させる。そして、棒状ハンドル６４を両軸部７０，７８を中心として揺動させ、図２に二点鎖線で示すように、棒状ハンドル６４の揺動位置を調整する。
【００２９】
棒状ハンドル６４を持ったときに、楽な姿勢で弾性施療子４０〜４３を施術部６０に当てることができるように、棒状ハンドル６４の揺動位置を調整した後、つまみ９４を回転させて締め付け、両歯部８４，８６を噛合させて、棒状ハンドル６４の揺動を規制する。そして、棒状ハンドル６４を使用者自身が持って、弾性施療子４０〜４３を施術部６０に当ててマッサージを施す。
【００３０】
棒状ハンドル６４を両軸部７０，７８を中心として揺動させたときに、電源コード９６は、保護部材１００と共に湾曲する。Ｔ字状ハンドル６２と棒状ハンドル６４とが同一平面上にあるときには、電源コード９６は溝９８内に挿着された状態となり、本体ケース６の裏面側を平坦な床等に置くことができるようになる。そして、弾性施療子４０〜４３を施術部６０に当ててマッサージを受けることもできる。
【００３１】
また、Ｔ字状ハンドル６２と棒状ハンドル６４とをほぼ直交する状態に揺動したときには、棒状ハンドル６４と本体ケース６との間で、電源コード９６は円弧状に湾曲する。そして、電源コード９６は二股部６８で両側を挟まれた状態になり、電源コード９６が操作の邪魔になったりすることがない。
【００３２】
以上本発明はこの様な実施例に何等限定されるものではなく、本発明の要旨を逸脱しない範囲において種々なる態様で実施し得る。
【００３３】
【発明の効果】
以上詳述したように本発明のマッサージ機は、棒状ハンドルを揺動させて、揺動位置を調整し、第３者があるいは使用者自身がマッサージを施しやすいように調整できるという効果を奏する。また、二股部の歯部と本体の歯部とを噛合させて調整可能としたので、細かく調整をすることができるように構成できる。更に、電源コードを棒状取手部に貫通させ、電源コードがまっすぐに挿着される溝を介して電源コードを本体内に挿入したので、棒状ハンドルを揺動可能としても、電源コードが邪魔になったりすることがない。Ｔ字状ハンドルに操作スイッチを設けたものでは、Ｔ字状ハンドルを持った際に、操作スイッチの操作がしやすくなる。
【図面の簡単な説明】
【図１】本発明の一実施例としてのマッサージ機の一部を断面で示す背面図である。
【図２】本発明の一実施例としてのマッサージ機の断面図である。
【図３】本実施例のマッサージ機の正面図である。
【図４】本実施例のマッサージ機の使用状態を示す要部斜視図である。
【符号の説明】
１…振動板              ６…本体ケース
１０…弾性支柱          １２…モータ
１４…回転軸            ３６，３８…球状突部
４０〜４３…弾性施療子  ６０…施術部
６２…Ｔ字状ハンドル    ６４…棒状ハンドル
６６…棒状取手部        ６８…二股部
８４，８６…歯部        ９６…電源コード
９８…溝                １００…保護部材
【図１】
0003767920.tif 000002
【図２】
0003767920.tif 000003
【図３】
0003767920.tif 000004
【図４】
0003767920.tif 000005